(57)【特許請求の範囲】
【請求項１】
フード１と、送風機４を備え、この送風機４を駆動して調理ガスをフード１内部に捕集して排気するレンジフードであって、
前記送風機４のファン４ｂを回転する誘導電動機に、交流電源から交流を供給して回転する第１の手段と、
前記送風機４を停止操作する第２の手段と、
この第２の手段で送風機を停止操作したときに、前記誘導電動機に交流を供給しないようにすると共に、その誘導電動機に直流を設定時間だけ供給して制動力が発生するようにする第３の手段を備え、
前記第１の手段は、交流電源に接続した交流電源回路と、操作手段を操作することで前記送風機４のファン４ｂを回転する誘導電動機に交流を供給するモータ駆動回路を有し、
前記第２の手段は、前記フード１に取り付けられ送風機４の吸込口４１に人の手が入らないようにする防護部材５と、その防護部材５を取り外したことを検知する検知手段を有し、
前記第３の手段は、設定時間だけ直流を出力する直流発生源９を備え、
前記検知手段が防護部材５の取り外しを検知しないときには前記モータ駆動回路と交流電源回路を接続し、前記誘導電動機と直流発生源９を遮断し、
前記検知手段が防護部材５の取り外しを検知したときには前記モータ駆動回路と交流電源回路を遮断し、前記誘導電動機と直流発生源９を接続するようにしたことを特徴とするレンジフード。
【請求項２】
前記第１の手段のモータ駆動回路は、操作手段を運転操作することで前記誘導電動機に交流を供給し、前記操作手段を停止操作したときは、前記誘導電動機への交流供給を停止する構成とし、
前記第３の手段は、前記第１の手段の操作手段が運転操作状態、運転操作状態から停止操作した直後の状態において、前記検知手段が防護部材５の取り外しを検知したときには前記モータ駆動回路と交流電源回路を遮断し、前記誘導電動機と直流発生源９を接続する構成とした請求項１記載のレンジフード。
【請求項３】
前記直流発生源９は、設定時間だけ交流を整流して直流とするもので、該直流発生源９の入力側を交流電源回路に接続、遮断すると共に、その直流発生源９の出力側を誘導電動機に接続、遮断するようにし、
前記検知手段が防護部材５の取り外しを検知しないときには、直流発生源９の入力側と交流電源回路を遮断すると共に、直流発生源９の出力側と誘導電動機を遮断して誘導電動機と直流発生源９を遮断し、
前記検知手段が防護部材５の取り外しを検知したときには、直流発生源９の入力側と交流電源回路を接続すると共に、直流発生源９の出力側と誘導電動機を接続して誘導電動機と直流発生源９を接続するようにした請求項１又は２記載のレンジフード。
【請求項４】
前記操作手段の出力側を入力側モータ回路８２を経て誘導電動機に接続し、
前記交流電源回路のライン側回路８０を、操作手段の入力側と直流発生源９の入力側回路９４のどちらか一方に選択的に接続する第１の切換手段と、
前記誘導電動機の戻り側モータ回路８３を、前記交流電源回路のグランド側回路８１と直流発生源９の戻り側回路９７のどちらか一方に選択的に接続する第２の切換手段と、
前記直流発生源９の直流出力側回路９６を前記誘導電動機の入力側モータ回路８２に接続、遮断する第３の切換手段を設け、
前記検知手段が防護部材５の取り外しを検知しないときには、前記第１の切換手段がライン側回路８０を操作手段の入力側に接続すると共に、前記第２の切換手段が戻り側モータ回路８３をグランド側回路８１に接続して交流電源回路を誘導電動機に接続し、かつ交流電源回路を直流発生源９の入力側とは遮断し、前記第３の切換手段が直流出力側回路９６と入力側モータ回路８２を遮断して直流発生源９の出力側と誘導電動機を遮断し、
前記検知手段が防護部材５の取り外しを検知したときには、前記第１の切換手段がライン側回路８０を入力側回路９４に接続すると共に、前記第２の切換手段が戻り側モータ回路８３を戻り側回路９７に接続して交流電源回路を直流発生源９に接続し、かつ交流電源回路を誘導電動機とは遮断し、前記第３の切換手段が直流出力側回路９６と入力側モータ回路８２を接続して直流発生源９の出力側を誘導電動機に接続するようにした請求項３記載のレンジフード。
【請求項５】
前記第１・第２・第３の切換手段をリレー８５の第１・第２・第３接点８５ａ，８５ｂ，８５ｃとし、
前記検知手段をスイッチとし、このスイッチと前記リレー８５を交流電源回路に直列に接続することで、スイッチのＯＮ，ＯＦＦで第１・第２・第３接点８５ａ，８５ｂ，８５ｃが切り換わるようにした請求項４記載のレンジフード。
【請求項６】
前記直流発生源９は、整流素子９０とタイマー９１を備え、このタイマー９１のタイマー接点９２がＯＮしているときにのみ整流素子９０に交流が流れ込み、直流を出力するようにした請求項１〜５いずれか１項記載のレンジフード。
【発明の詳細な説明】
【技術分野】
【０００１】
本発明は、調理器具の周囲に設置されて調理により発生する油煙などの調理ガスを捕集して屋外等へ排気するレンジフードに関する。
【背景技術】
【０００２】
近年、台所用換気装置としてプロペラ式換気扇に変わり、調理器具の周囲に配置されて調理により発生する油煙などの調理ガスを、内蔵する送風機によりフード内部へと捕集し、屋外等へ排気、あるいは各種フィルターにより清浄化した空気を室内へと吹き出すレンジフードが提案されている。
例えば、特許文献１に開示したように、送風機を備えたフードに整流板を設け、フードの内面と整流板との間の隙間を通して油煙などの調理ガスを吸い込んで捕集し、屋外に排気するレンジフードが提案されている。
【先行技術文献】
【特許文献】
【０００３】
【特許文献１】特許第４４０９７１１号公報
【発明の概要】
【発明が解決しようとする課題】
【０００４】
前述した従来のレンジフードは、フード内部や送風機のファンに調理ガス中の油脂分などの油汚れが付着するので、フード内部を人が手作業で清掃することがある。
前述した送風機のファンをフード内部から取り出しできるレンジフードの場合は、フード内部のみではなく、送風機のファンを取り外してフード内部から取り出して清掃することがある。
また、対面式キッチンやアイランド式キッチンなどの普及により、リビングとキッチンが一連にレイアウトされることが多くなっていることから、レンジフードのフード内部や送風機のファンに油汚れが付着しているなどすると、油の臭いがリビング側へと伝わってしまうという悪さからもレンジフードのフード内部の清掃や送風機のファンをフード内部から取り出して清掃する機会が増えている。
前述した従来のレンジフードにおいては、整流板を取り外し、その状態でフードの内部を人が手で拭いて清掃したり、送風機のファンをフード内部から取り出してシンク等で洗うことで清掃する。このレンジフードはフィルターを備えているので、整流板とともにフィルターを取り外して清掃したり、ファンを取り出しする。
しかしながら、前述のようにフード内部を清掃したり、送風機のファンを取り出しするときに、送風機が駆動していると人の手が回転しているファンに触れることがあるので、フード内部を清掃したり、ファンを取り出すときには、レンジフードの操作手段を停止操作することにより送風機を停止するようにしている。
【０００５】
前述のレンジフードにおいては、送風機のファンを駆動するモータとして誘導電動機を用いているので、そのモータに電流が流れなくなってもファンは慣性によって数十秒、例えば３０〜４０秒回転し続ける。
このために、送風機の停止操作をした後にファンが数十秒回転し続けるので、その間に危険が生じる可能性があった。
前述のことを解消するには、モータとして機械的ブレーキを備えた誘導電動機を用い、そのモータに電流が流れなくなると機械的ブレーキでモータを制動することが考えられるが、この機械的ブレーキを備えた誘導電動機は大変高価であり、レンジフードが高価となってしまう。
【０００６】
本発明の目的は、送風機を停止操作するとファンが直ちに停止すると共に、安価なレンジフードとすることである。
【課題を解決するための手段】
【０００７】
本発明者等は前述の課題を解消するために、鋭意実験、研究した結果、誘導電動機においては、直流を流すことで制動力が得られることを見出し、本発明に到った。
【０００８】
本発明は、フード１と、送風機４を備え、この送風機４を駆動して調理ガスをフード１内部に捕集して排気するレンジフードであって、
前記送風機４のファン４ｂを回転する誘導電動機に、交流電源から交流を供給して回転する第１の手段と、
前記送風機４を停止操作する第２の手段と、
この第２の手段で送風機を停止操作したときに、前記誘導電動機に交流を供給しないようにすると共に、その誘導電動機に直流を設定時間だけ供給して制動力が発生するようにする第３の手段を備え、
前記第１の手段は、交流電源に接続した交流電源回路と、操作手段を操作することで前記送風機４のファン４ｂを回転する誘導電動機に交流を供給するモータ駆動回路を有し、
前記第２の手段は、前記フード１に取り付けられ送風機４の吸込口４１に人の手が入らないようにする防護部材５と、その防護部材５を取り外したことを検知する検知手段を有し、
前記第３の手段は、設定時間だけ直流を出力する直流発生源９を備え、
前記検知手段が防護部材５の取り外しを検知しないときには前記モータ駆動回路と交流電源回路を接続し、前記誘導電動機と直流発生源９を遮断し、
前記検知手段が防護部材５の取り外しを検知したときには前記モータ駆動回路と交流電源回路を遮断し、前記誘導電動機と直流発生源９を接続するようにしたことを特徴とするレンジフードである。
【０００９】
本発明においては、前記第１の手段のモータ駆動回路は、操作手段を運転操作することで前記誘導電動機に交流を供給し、前記操作手段を停止操作したときは、前記誘導電動機への交流供給を停止する構成とし、
前記第３の手段は、前記第１の手段の操作手段が運転操作状態、運転操作状態から停止操作した直後の状態において、前記検知手段が防護部材５の取り外しを検知したときには前記モータ駆動回路と交流電源回路を遮断し、前記誘導電動機と直流発生源９を接続する構成とすることができる。
【００１４】
本発明においては、前記直流発生源９は、設定時間だけ交流を整流して直流とするもので、該直流発生源９の入力側を交流電源回路に接続、遮断すると共に、その直流発生源９の出力側を誘導電動機に接続、遮断するようにし、
前記検知手段が防護部材５の取り外しを検知しないときには、直流発生源９の入力側と交流電源回路を遮断すると共に、直流発生源９の出力側と誘導電動機を遮断して誘導電動機と直流発生源９を遮断し、
前記検知手段が防護部材５の取り外しを検知したときには、直流発生源９の入力側と交流電源回路を接続すると共に、直流発生源９の出力側と誘導電動機を接続して誘導電動機と直流発生源９を接続するようにできる。
【００１５】
本発明においては、前記操作手段の出力側を入力側モータ回路８２を経て誘導電動機に接続し、
前記交流電源回路のライン側回路８０を、操作手段の入力側と直流発生源９の入力側回路９４のどちらか一方に選択的に接続する第１の切換手段と、
前記誘導電動機の戻り側モータ回路８３を、前記交流電源回路のグランド側回路８１と直流発生源９の戻り側回路９７のどちらか一方に選択的に接続する第２の切換手段と、
前記直流発生源９の直流出力側回路９６を前記誘導電動機の入力側モータ回路８２に接続、遮断する第３の切換手段を設け、
前記検知手段が防護部材５の取り外しを検知しないときには、前記第１の切換手段がライン側回路８０を操作手段の入力側に接続すると共に、前記第２の切換手段が戻り側モータ回路８３をグランド側回路８１に接続して交流電源回路を誘導電動機に接続し、かつ交流電源回路を直流発生源９の入力側とは遮断し、前記第３の切換手段が直流出力側回路９６と入力側モータ回路８２を遮断して直流発生源９の出力側と誘導電動機を遮断し、
前記検知手段が防護部材５の取り外しを検知したときには、前記第１の切換手段がライン側回路８０を入力側回路９４に接続すると共に、前記第２の切換手段が戻り側モータ回路８３を戻り側回路９７に接続して交流電源回路を直流発生源９に接続し、かつ交流電源回路を誘導電動機とは遮断し、前記第３の切換手段が直流出力側回路９６と入力側モータ回路８２を接続して直流発生源９の出力側を誘導電動機に接続するようにできる。
【００１６】
このようにすれば、防護部材５を取り外しすると、直ちに第１・第２・第３の切換手段が切り換わり、誘導電動機に交流が流れなくなると同時に、その誘導電動機に直流が流れて制動力が発生するので、防護部材５を取り外しすると直ちにファンが停止する。
【００１７】
本発明においては、前記第１・第２・第３の切換手段をリレー８５の第１・第２・第３接点８５ａ，８５ｂ，８５ｃとし、
前記検知手段をスイッチとし、このスイッチと前記リレー８５を交流電源回路に直列に接続することで、スイッチのＯＮ，ＯＦＦで第１・第２・第３接点８５ａ，８５ｂ，８５ｃが切り換わるようにできる。
【００１８】
このようにすれば、リレー８５に通電したり、通電しなくすることで、その第１・第２・第３接点８５ａ，８５ｂ，８５ｃが切り換わるから、防護部材５を取り外しすることでファン４ｂを確実に直ちに停止することができる。
【００１９】
本発明においては、前記直流発生源９は、整流素子９０とタイマー９１を備え、このタイマー９１のタイマー接点９２がＯＮしているときにのみ整流素子９０に交流が流れ込み、直流を出力するようにできる。
【００２０】
このようにすれば、タイマー９１の設定時間を変えることで直流を出力する時間を調節でき、誘導電動機に応じた時間だけ直流を流して確実に制動することができる。
【発明の効果】
【００２１】
本発明によれば、送風機４を停止操作すると、そのファン４ｂが直ちに停止するので、フード内部の清掃作業やファンの取り出し作業を安全にできる。
しかも、機械的ブレーキを備えていない安価な誘導電動機を用いてファンを回転するので、安価なレンジフードである。
また、送風機４が駆動している状態で誤ってフード内部の清掃作業やファンの取り出し作業をしようとしても、防護部材５により送風機４の吸込口４１に人の手が入らないので安全である。
また、防護部材５を取り外しすると送風機４のファン４ｂが直ちに停止するので、送風機４のファン４ｂが回転している状態でフード内部の清掃作業やファンの取り出し作業をするときにファン４ｂは完全に停止しているので、危険が生じることがない。
【図面の簡単な説明】
【００２２】
【図１】本発明の実施の形態を示すレンジフードの縦断面図である。
【図２】図１のＡ−Ａ断面図である。
【図３】送風機の駆動回路の第１の実施の形態を示し、整流板を取り付けたときの動作説明図である。
【図４】送風機の駆動回路の第１の実施の形態を示し、整流板を取り外したときの動作説明図である。
【図５】送風機の駆動回路の第２の実施の形態を示し、整流板を取り付けたときの動作説明図である。
【図６】本発明の第２の実施の形態を示す送風機の駆動回路図である。
【図７】本発明の第３の実施の形態を示すレンジフードと調理機器の正面図である。
【発明を実施するための形態】
【００２３】
本発明の実施の形態を説明する。
フード１は、図１と図２に示すように、フード本体１ａと送風機収納体１ｂを備え、そのフード本体１ａは外郭２と内郭３を有している。
この外郭２は、上面板２０と周面板２１で下面が開口した箱形状で、その上面板２０に開口部２２が形成してあると共に、周面板２１の周縁下端部には内向きの被取付フランジ２３が設けてある。
前記内郭３は、上面板３０と周面板３１で下向きの皿形状で、その上面板３０の孔３２の周縁に筒体３３が設けてあると共に、周面板３１の周縁下端部に外向きの取付フランジ３４が設けてある。
前記内郭３の筒体３３が外郭２の開口部２２に嵌合すると共に、取付フランジ３４を被取付フランジ２３に着脱自在に連結して外郭２と内郭３を連結してフード本体１ａとしてある。
前記内郭３の下面がフード１の内部である。
【００２４】
前記送風機収納体１ｂは入口側開口２４と出口側開口２５を有した箱形状で、その内部に送風機４が設けてある。
前記送風機収納体１ｂは、その入口側開口２４が筒体３３に嵌め込むように外郭２の上面板２０に取り付けられる。
【００２５】
前記送風機４は、ケーシング４ａ内にファン４ｂを設けると共に、そのケーシング４ａに設けた誘導電動機（以下単にモータという）４ｃでファン４ｂを回転駆動するようにしてある。
前記ケーシング４ａに連通した吐出部４０が出口側開口２５に嵌合し、そのケーシング４ａに形成した吸込口４１が前記筒体３３（孔３２）と連通し、その筒体３３から吸込口４１に手を入れてロック部材４２を弛めることでモータ４ｃの回転軸４３とファン４ｂを分離できると共に、そのロック部材４２を締め付けることでモータ４ｃの回転軸４３とファン４ｂを連結できる。
このようであるから、フード１から送風機４のファン４ｂをフード１内部から容易に取り出しすることができる。
【００２６】
前記フード１、例えばフード本体１ａの内郭３には、送風機４の吸込口４１と間隔を置いて対峙し、人の手が吸込口４１に入らないようにするための防護部材５、例えば整流板５０が取り外し可能に取り付けてある。
前記整流板５０は次のように取り付けてある。
前記整流板５０は平板５１の周縁に立上り片５２を設けた形状で、その立上り片５２の後側５２ａに支持軸５３が横向きに設けてある。
前記内郭３の周面板３１の後側３１ａには支持片５４が取り付けてあり、この支持片５４の先端部に前記支持軸５３が上下方向に回動自在で、かつ着脱自在に支持してある。
これにより、整流板５０は図１に示す取り付け姿勢から下方に向けて回動して下向き姿勢とし、支持軸５３を支持片５４の先端部から外すことで整流板５０を取り外しできる。
【００２７】
前記内郭３の上面板３０における前部寄りの左右両側に支持部材３５が設けてあると共に、整流板５０の平板５１の前部寄り左右両側に被支持部材５５が設けてあり、この被支持部材５５を支持部材３５で支持することで整流板５０が取り付け姿勢に支持され、その支持を解除することで整流板５０を下向き姿勢に回動できるようにしてある。
【００２８】
前記支持部材３５は、ブラケット３５ａと、このブラケット３５ａに設けた支持ピン３５ｂ、ばねケース３５ｃと、このばねケース３５ｃと支持ピン３５ｂとの間に設けたばね３５ｄを有し、その支持ピン３５ｂがばね３５ｄで支持位置に保持してある。
前記被支持部材５５は、ブラケット５５ａに支持穴５５ｂを形成したもので、整流板５０を下向き姿勢から取り付け姿勢に向けて回動することで、ブラケット５５ａで支持ピン３５ｂを押し、その支持ピン３５ｂが支持穴５５ｂに嵌まり合うことで被支持部材５５が支持部材３５に支持され取り付け姿勢に支持する。その支持ピン３５ｂをばね３５ｄに抗して押すことで支持穴５５ｂから抜き出すことで被支持部材５５の支持が解除され、下方に向けて回動することができる。
【００２９】
前記整流板５０とフード１（内郭３）とに亘って防護部材取り外し検知手段としての近接スイッチ６が取り付けてある。例えば、フード１（内郭３）にリードスイッチ部６ａを取り付けると共に、整流板５０にマグネット部６ｂを取り付けて近接スイッチ６としてある。
前記整流板５０をフード１に取り付けた状態ではマグネット部６ｂがリードスイッチ部６ａに近接又は接触してリードスイッチ部６ａがＯＦＦし、整流板５０をフード１から取り外した状態ではマグネット部６ｂがリードスイッチ部６ａから離れてリードスイッチ部６ａがＯＮするようにし、そのリードスイッチ部６ａのＯＮ，ＯＦＦ動作で整流板５０を取り外したことを検知するようにしてある。
【００３０】
このリードスイッチ部６ａがＯＦＦのときには、操作手段、例えば操作スイッチ７を操作することで、前記送風機４のモータ４ｃに通常どおりに通電制御できる。
前記リードスイッチ部６ａがＯＮになると操作スイッチ７の操作に関係なく、前記送風機４のモータ４ｃに通電できないようにすると共に、そのモータ４ｃに直流を流して制動するようにしてある。
前記操作スイッチ７はフード１の前面、例えばフード本体１ａの外郭２の周面板２１に取り付けてある。
【００３１】
このようであるから、整流板５０を取り付けた状態では操作スイッチ７を操作することでモータ４ｃに通電制御して送風機４を駆動、停止してレンジフードを通常どおり運転することができる。
また、操作スイッチ７を運転操作して送風機４が駆動している状態で整流板５０を取り外しすると操作スイッチ７を停止操作することなく送風機４のモータ４ｃに通電されなくなると共に、そのモータ４ｃに直流が流れて制動力が発生し、ファン４ｂは直ちに停止するので、フード１内部を人の手で清掃するときにファン４ｂに触れても危険ではないし、ファン４ｂをフード１内部から取り出すときに危険が生じることがなく、これらの作業時に送風機４の停止操作を忘れても危険が生じることがない。
しかも前述の作業中に誤って操作スイッチ７に触れても送風機４のファン４ｂが回転することがなく危険が生じることがない。
なお、送風機４が駆動している状態で操作スイッチ７を停止操作し、すぐに整流板５０を取り外した場合も同様にファン４ｂは直ちに停止する。
また、操作スイッチ７のタイマーを備え、そのタイマーの設定時間経過するとモータ４ｃへの通電を止めて停止するようにした場合には、そのタイマーの設定時間内に整流板５０を取り外したとき、又はタイマーの設定時間経過し、すぐに整流板５０を取り外したときにも同様にファン４ｂは直ちに停止する。
【００３２】
次に、送風機の駆動回路を図３、図４に基づいて説明する。
図３に示すように、交流電源の１００Ｖ側に接続したライン側回路８０と、交流電源のゼロボルト側に接続したグランド側回路８１で交流電源回路としてある。
前記操作スイッチ７の出力側を送風機４のモータ４ｃ（モータ巻き線）の入力側に接続する入力側モータ回路８２と、モータ４ｃの戻り側に接続した戻り側モータ回路８３でモータ駆動回路としてある。
【００３３】
前記操作スイッチ７は、強運転スイッチ７０、中運転スイッチ７１、弱運転スイッチ７２、ダンパー運転スイッチ７３、切スイッチ７４、照明スイッチ７５等を備え、強・中・弱運転スイッチ７０，７１，７２、ダンパー運転スイッチ７３、照明スイッチ７５の入力側に交流電源から交流が流れ、その強・中・弱運転スイッチ７０，７１，７２のいずれかをＯＮすることで強・中・弱の入力側モータ回路８２ａ，８２ｂ，８２ｃを経てモータ４ｃに交流が流れる（通電される）。
ダンパー運転スイッチ７３をＯＮすることでダンパーモータ７６に通電され、図示しない電動ダンパーを開閉動作する。
照明スイッチ７５をＯＮすることでランプ７７に通電され、この照明スイッチ７５を再度押すとＯＦＦになる。
切スイッチ７４を操作することでＯＮのスイッチがＯＦＦとなる。
【００３４】
前記ライン側回路８０とリレー８５を接続する回路８４に、前述した近接スイッチ６（リードスイッチ部６ａ）とリレー８５が直列に接続してある。
このリレー８５は第１・第２・第３接点８５ａ，８５ｂ，８５ｃを有している。
この第１接点８５ａは、前記ライン側回路８０を操作スイッチ７の入力側と後述する直流発生源９の入力側のどちらか一方に選択的に接続する。
第２接点８５ｂは、前記戻り側モータ回路８３をグランド側回路８１と直流発生源９の戻り側のどちらか一方に選択的に接続する。
第３接点８５ｃは、直流発生源９の直流出力側をモータ４ｃ（弱の入力側モータ回路８２ｃ）に接続、遮断する。
【００３５】
前記直流発生源９は、モータ４ｃに制動力を発生するための直流を発生するものである。
例えば、整流素子９０と、この整流素子９０に通電する時間を設定するタイマー９１、タイマー接点９２を備え、そのタイマー９１に通電されるとタイマー接点９２がＯＮして整流素子９０に交流が流れて直流に変換して出力する。
前記タイマー９１の設定時間が経過するとタイマー接点９２がＯＦＦし、整流素子９０に交流が流れなくなるので、直流を出力しなくなる。
つまり、タイマー９１の設定時間だけ直流を出力する。
前述のようにして出力される直流の電流値は抵抗９３の大きさで調節できる。
【００３６】
前記タイマー９１に接続した入力側回路９４は前記第１接点８５ａでライン側回路８０に接続、遮断され、タイマー９１の戻り側に接続した戻り側回路９５はグランド側回路８１に接続している。
前記整流素子９０の出力側に接続した直流出力側回路９６は前記第３接点８５ｃでモータ４ｃに接続、遮断され、戻り側に接続した戻り側回路９７は前記第２接点８５ｂで戻り側モータ回路８３に接続、遮断される。
【００３７】
図３に示すように、リレー８５、第１・第２・第３接点８５ａ，８５ｂ，８５ｃ、ランプ７７は配線ボックス８６に設けてあり、その配線ボックス８６と、モータ４ｃ、ダンパーモータ７６、直流発生源９、操作スイッチ７、ライン側回路８０、グランド側回路８１、近接センサー６は、それぞれコネクター８７で接続してある。
このようであるから、従来のレンジフードにおけるライン側回路８０、グランド側回路８１と操作スイッチ７とモータ４ｃ、ダンパーモータ７６を備えた回路を基準として、本発明の回路を簡単に構成できる。
前記直流発生源９は配線ボックス８６内に設けても良い。
【００３８】
次に動作を説明する。
前述の整流板５０をフード１に取り付けた状態では、図３に示すように近接スイッチ６のリードスイッチ部６ａがＯＦＦするので、リレー８５には通電されず、その第１・第２・第３接点８５ａ，８５ｂ，８５ｃは図３に示す第１位置である。
この第１接点８５ａが第１位置であると、ライン側回路８０が操作スイッチ７の入力側回路７ａに接続し、直流発生源９の入力側回路９４とライン側回路８０は遮断する。
第２接点８５ｂが第１位置であると、戻り側モータ回路８３はグランド側回路８１に接続し、直流発生源９の戻り側回路９７と遮断する。
第３接点８５ｃが第１位置であると、直流発生源９の直流出力側回路９６とモータ４ｃ（弱の入力側モータ回路８２ｃ）は遮断する。
【００３９】
このようであるから、交流電源回路とモータ駆動回路が接続し、直流発生源９は交流電源回路、モータ駆動回路と遮断する。
したがって、操作スイッチ７を操作することで、ライン側回路８０の交流が実線矢印のようにモータ４ｃ（モータ巻き線）に流れ、モータ４ｃから点線矢印のようにグランド側回路８１に戻るので、モータ４ｃを駆動することができるからレンジフードを通常運転することができる。
【００４０】
前述の整流板５０を取り外しすると、図４に示すように、近接スイッチ６のリードスイッチ部６ａがＯＮし、リレー８５に通電されるので、第１・第２・第３接点８５ａ，８５ｂ，８５ｃが第２位置に切り換わる。
前記第１接点８５ａが第２位置であると、ライン側回路８０が直流発生源９の入力側回路９４に接続し、操作スイッチ７の入力側回路７ａとは遮断する。
前記第２接点８５ｂが第２位置であると、戻り側モータ回路８３は整流素子９０の戻り側回路９７に接続し、グランド側回路８１とは遮断する。
前記第３接点８５ｃが第２位置であると、整流素子９の直流出力側回路９６はモータ４ｃ（弱の入力側モータ回路８２ｃ）に接続する。
【００４１】
これにより、交流電源回路とモータ駆動回路が遮断して操作スイッチ７の入力側回路７ａに交流電源から交流が流れないので、操作スイッチ７の強・中・弱運転スイッチ７０，７１，７２のいずれかをＯＮしてモータ４ｃに交流を流してファン４ｂを回転している状態で整流板５０を取り外しすると、モータ４ｃに交流電源から交流が流れなくなる。
【００４２】
一方、第２・第３接点８５ｂ，８５ｃが第２位置となることで、直流発生源９がライン側回路８０と接続すると共に、直流発生源９とモータ４ｃが接続し、ライン側回路８０から交流電源の交流が実線矢印で示すようにタイマー９１に流れ、タイマー接点９２がＯＮして整流素子９０に交流電源から交流が流れて直流に整流し、その直流が実線矢印で示すように直流出力側回路９６に流れ、モータ４ｃから点線矢印で示すように整流素子９０に戻る。
そして、タイマー９１の設定時間が経過するとタイマー接点９２がＯＦＦし、整流素子９０に交流が流れなくなるので、モータ４ｃに直流が流れなくなる。
【００４３】
このように、整流板５０を取り外しすると、タイマー９１の設定時間だけモータ４ｃに直流が流れてモータ４ｃに制動力が発生するので、送風機４のファン４ｂは整流板５０を取り外すと直ちに停止する。
つまり、モータ４ｃのモータ巻き線に直流が流れるとローターに逆の起電力（制動力）を生じるので、モータ４ｃは慣性力で回転し続けることなしに、整流板５０を取り外しすると直ちに停止する。
【００４４】
前述の構成を要約すると、交流電源回路と、操作スイッチ７を操作することでモータ４ｃに交流を供給するモータ駆動回路とで、モータ４ｃに交流電源から交流を供給して回転する第１の手段を構成する。
整流板５０と、この整流板５０の取り外しを検知する近接スイッチ６とで、送風機４を停止操作する第２の手段を構成する。
直流発生源９と、リレー８５、第１・第２・第３接点８５ａ，８５ｂ，８５ｃとで、送風機を停止操作したときに、モータ４ｃに交流を供給しないようにすると共に、そのモータ４ｃに直流を設定時間だけ供給して制動力を発生するようにする第３の手段を構成する。
【００４５】
また、モータ４ｃとしては機械的ブレーキを備えていない安価な誘導電動機を用いているので、レンジフードを安価とすることができる。
【００４６】
前述の操作スイッチ７の回路は機械的回路としたが、コントローラ（マイコン）を用いた回路とすることができる。
例えば、図５に示すように操作スイッチ７からの運転信号をコントローラ８８に入力し、その入力された運転信号に基づいてコントローラ８８がモータ４ｃ、ダンパーモータ７６、ランプ７７に通電制御するようにする。
【００４７】
または、リレー８５の第１・第２・第３接点８５ａ，８５ｂ，８５ｃの切り換え制御を、近接スイッチ６のＯＮ，ＯＦＦ信号をコントローラ８８に入力し、そのコントローラ８８で切り換えるようにしても良い。つまり、第１・第２・第３の切換手段をコントローラ８８を用いて前述のように切換動作する。
【００４８】
前述の実施の形態で整流素子９０は全波整流するものであるが、半波整流するものでも良い。
前述の実施の形態ではタイマー接点９２で整流素子９０の入力側をＯＮ，ＯＦＦしたが、直流出力側回路９６をＯＮ，ＯＦＦしても良い。
また、タイマー９１の設定時間、つまり直流をモータ４ｃに流す時間は、モータ４ｃとともにファン４ｂが完全に停止する時間よりも若干長い時間が好ましい。例えば、モータ４ｃの大きさ等によって異なるが、３〜４秒程度である。
【００４９】
前記直流発生源９を交流を整流するものではなく、蓄電池などの直流を発生するものとしても良い。
また、前述の実施の形態では、モータ４ｃに直流を設定時間だけ連続して流すようにしているが、間欠的に流すようにしても良い。
【００５０】
この実施の形態では、フード本体１ａと送風機収納体１ｂでフード１としてあるが、フード本体１ａのみでフード１とし、送風機４の吐出部４０をダクト等を介して屋外に排気するようにしても良い。
また、フード本体１ａを外郭２のみで構成しても良い。
【００５１】
前述の実施の形態では、内郭３の内面（フード１の内面）を整流板５０との隙間から流入した油煙等が送風機４の吸込口４１に直接吸い込まれるようにしたが、その吸込口４１の上流側、例えば筒体３３にフィルターを設けても良い。
この場合にはフィルターを取り外してファン４ｂを取り出しする。
【００５２】
前述の各実施の形態では整流板５０を防護部材５としたが、これに限ることはない。
例えば、フードを下面が開口した箱形状とし、そのフード内部にフィルターを着脱自在に取り付けてフード内部に送風機収容室を形成したレンジフードの場合には、そのフィルターが送風機の吸込口と対向するので、防護部材となる。
また、フードの下部の開口部にスリット形状の通気用開口を有した覆板を着脱自在に取り付けたレンジフードの場合には、その覆板が送風機吸込口と対向するので、防護部材となる。
【００５３】
前述の実施の形態では、防護部材取り外し検知手段を近接スイッチとしたが、リミットスイッチ、マイクロスイッチ、マグネットスイッチ、近鉄スイッチ、発光器と受光器を有した光電式スイッチなどでも良い。
【００５４】
前述の実施の形態では、防護部材５を備えたレンジフードについて述べたが、防護部材５を有しないレンジフードの場合には、操作スイッチ７（操作手段）を停止操作したことを検知する停止操作検知手段を設け、その検知手段を第２の手段とする。
【００５５】
例えば、図６に示すように、操作スイッチ７の切スイッチ７４をリレー８５を経てグランド側回路８１に接続することで、その切スイッチ７４がＯＦＦ（停止操作しないとき）のときには、リレー８５の第１・第２・第３接点８５ａ，８５ｂ，８５ｃが第１位置で、切スイッチ７４がＯＮ（停止操作したとき）のときには、リレー８５の第１・第２・第３接点８５ａ，８５ｂ，８５ｃが第２位置となるようにする。
【００５６】
このように構成することで、操作スイッチ７０の切スイッチ７４がＯＦＦのときには、リレー８５の第１・第２・第３接点８５ａ，８５ｂ，８５ｃが第１位置となるので、交流電源回路とモータ駆動回路が接続し、直流発生源９は交流電源回路、モータ駆動回路と遮断する。
したがって、操作スイッチ７を運転操作することで、ライン側回路８０の交流がモータ４ｃ（モータ巻き線）に流れ、モータ４ｃからグランド側回路８１に戻るので、モータ４ｃを駆動することができるからレンジフードを通常運転することができる。
【００５７】
操作スイッチ７０の切スイッチ７４をＯＮして送風機４を停止操作すると、リレー８５の第１・第２・第３接点８５ａ，８５ｂ，８５ｃが第２位置となるので、交流電源回路とモータ駆動回路が遮断し、直流発生源９は交流電源回路、モータ駆動回路と接続する。
したがって、モータ４ｃに交流電源から交流が流れなくなると共に、タイマー９１の設定時間だけモータ４ｃに直流が流れてモータ４ｃに制動力が発生して停止するので、送風機４のファン４ｂは切スイッチ７４をＯＮすると直ちに停止する。
【００５８】
前述の操作スイッチ７０はタイマーを備え、そのタイマーの設定時間が経過するとモータ４ｃへの通電を止めてモータ４ｃを停止するものとしても良い。
この場合には、タイマーの設定時間が経過したら前述のリレー８５の第１・第２・第３接点８５ａ，８５ｂ，８５ｃが第２位置となるようにすれば良い。
【００５９】
前述の実施の形態において、レンジフードを調理器具の稼動操作と連動して運転動作するようにすることができる。
例えば、図７に示すように調理器具１００の稼動釦１０１の操作をコントローラ１０２で検知し、その稼動操作信号を無線又は有線でレンジフードに送り、その操作スイッチ７０を切り換えたと同様に制御できるようにする。例えば、図５のコントローラ８８が稼動操作信号を受信して送風機４を制御する。
これにより稼動釦１０１を運転操作して調理器具１００が稼動しているときにはレンジフードの操作スイッチ７０の運転スイッチをＯＮ（運転操作）したと同様に送風機４が駆動し、稼動釦１０１を停止操作して調理器具１００が停止したときには操作スイッチ７０の切スイッチ７４がＯＮ（停止操作）したと同様に送風機４が停止するとともにリレー８５に通電されるようにする。
【符号の説明】
【００６０】
１…フード、４…送風機、４ｂ…ファン、４ｃ…モータ（誘導電動機）、５…防護部材、６…近接スイッチ、７…操作スイッチ（操作手段）、９…直流発生源、８０…ライン側回路、８１…グランド側回路、８２…入力側モータ回路、８３…戻り側モータ回路、８５…リレー、８５ａ…第１接点（第１の切換手段）、８５ｂ…第２接点（第２の切換手段）、８５ｃ…第３接点（第３の切換手段）、８８…コントローラ、９０…整流素子、９１…タイマー、９２…タイマー接点。
【図１】
0005921890.tif 000002
【図２】
0005921890.tif 000003
【図３】
0005921890.tif 000004
【図４】
0005921890.tif 000005
【図５】
0005921890.tif 000006
【図６】
0005921890.tif 000007
【図７】
0005921890.tif 000008